(57)【要約】【課題】歩行方向によってすべり抵抗が異なるように加工された表面を備えることにより、歩行の際にすべり抵抗が異なるので、本来の歩行方向とその反対の歩行方向とを歩行者が容易に知覚することができるようにする。【解決手段】歩行方向によってすべり抵抗が異なるように異方性抵抗発揮加工された表面１１を備え、前記すべり抵抗は、前記歩行方向が所定方向である場合、前記歩行方向が前記所定方向の反対方向である場合よりも大きい。【選択図】図１
2018109331.tif 000002
【特許請求の範囲】
【請求項１】
歩行方向によってすべり抵抗が異なるように異方性抵抗発揮加工された表面を備え、
前記すべり抵抗は、前記歩行方向が所定方向である場合、前記歩行方向が前記所定方向の反対方向である場合よりも大きいことを特徴とする床材。
【請求項２】
前記表面には複数の異方性模様が形成されている請求項１に記載の床材。
【請求項３】
前記異方性模様は前記表面から凹入する異方性凹部であって、該異方性凹部は前記所定方向手前側から前記所定方向に進むにつれて浅くなるように形成されている請求項２に記載の床材。
【請求項４】
前記異方性凹部は、前記所定方向と直交する方向に延在する列を形成するように複数並べて配置される請求項３に記載の床材。
【請求項５】
前記異方性凹部は、前記所定方向に延在する列を形成するように複数並べて配置される請求項４に記載の床材。
【請求項６】
前記異方性凹部は、平面視において、前記所定方向手前側から前記所定方向に進むにつれて幅が狭くなるような形状を含んでいる請求項３に記載の床材。
【請求項７】
前記異方性模様は前記表面から凸出する異方性凸部であって、該異方性凸部は前記所定方向手前側から前記所定方向に進むにつれて高くなるように形成されている請求項２に記載の床材。
【請求項８】
前記異方性模様は前記表面から凸出する異方性凸部であって、該異方性凸部は根元が前記表面に固定された柔軟性を有する繊維状部材であり、自由端が前記所定方向に向かうように配向されている請求項２に記載の床材。
【請求項９】
歩行方向によってすべり抵抗が異なるように異方性抵抗発揮加工された表面を備える床材を、前記歩行方向が通行区分によって定められた所定方向である場合、前記歩行方向が前記所定方向の反対方向である場合よりも大きくなるように、前記通行区分に応じて路面又は床面に載置することを特徴とする床材の使用方法。
【発明の詳細な説明】
【技術分野】
【０００１】
本開示は、床材及びその使用方法に関するものである。
【背景技術】
【０００２】
従来、歩道、駅のプラットホーム、建築物内外の通路等においては、床面に通行区分や方向を表示することによって、歩行者の通行整理を行っている。また、視力が比較的弱い視覚障害者に通路であることを認識させるために、床面に凹凸を形成することも行われている（例えば、特許文献１及び２参照。）。
【先行技術文献】
【特許文献】
【０００３】
【特許文献１】特開平９−２４２０２８号公報
【特許文献２】特開２０１２−１１７３２１号公報
【発明の概要】
【発明が解決しようとする課題】
【０００４】
しかしながら、前記従来の技術では、歩行者が通行区分や表示に気付かなかったり、気付いていても遵守しなかったりすることにより、反対方向へ進行する歩行者によって本来の方向へ進行する歩行者の歩行が妨げられることがある。また、視覚障害者は、床面に形成された凹凸によって通路であることを認識することができても、進行方向を認識することは困難であった。
【０００５】
ここでは、前記従来の技術の問題点を解決して、歩行方向によってすべり抵抗が異なるように加工された表面を備えることにより、歩行の際にすべり抵抗が異なるので、本来の歩行方向とその反対の歩行方向とを歩行者が容易に知覚することができる床材及びその使用方法を提供することを目的とする。
【課題を解決するための手段】
【０００６】
そのために、床材においては、歩行方向によってすべり抵抗が異なるように異方性抵抗発揮加工された表面を備え、前記すべり抵抗は、前記歩行方向が所定方向である場合、前記歩行方向が前記所定方向の反対方向である場合よりも大きい。
【０００７】
他の床材においては、さらに、前記表面には複数の異方性模様が形成されている。
【０００８】
更に他の床材においては、さらに、前記異方性模様は前記表面から凹入する異方性凹部であって、該異方性凹部は前記所定方向手前側から前記所定方向に進むにつれて浅くなるように形成されている。
【０００９】
更に他の床材においては、さらに、前記異方性凹部は、前記所定方向と直交する方向に延在する列を形成するように複数並べて配置される。
【００１０】
更に他の床材においては、さらに、前記異方性凹部は、前記所定方向に延在する列を形成するように複数並べて配置される。
【００１１】
更に他の床材においては、さらに、前記異方性凹部は、平面視において、前記所定方向手前側から前記所定方向に進むにつれて幅が狭くなるような形状を含んでいる。
【００１２】
更に他の床材においては、さらに、前記異方性模様は前記表面から凸出する異方性凸部であって、該異方性凸部は前記所定方向手前側から前記所定方向に進むにつれて高くなるように形成されている。
【００１３】
更に他の床材においては、さらに、前記異方性模様は前記表面から凸出する異方性凸部であって、該異方性凸部は根元が前記表面に固定された柔軟性を有する繊維状部材であり、自由端が前記所定方向に向かうように配向されている。
【００１４】
床材の使用方法においては、歩行方向によってすべり抵抗が異なるように異方性抵抗発揮加工された表面を備える床材を、前記歩行方向が通行区分によって定められた所定方向である場合、前記歩行方向が前記所定方向の反対方向である場合よりも大きくなるように、前記通行区分に応じて路面又は床面に載置する。
【発明の効果】
【００１５】
本開示によれば、床材は歩行方向によってすべり抵抗が異なるように加工された表面を備える。これにより、歩行の際にすべり抵抗が異なるので、本来の歩行方向とその反対の歩行方向とを歩行者が容易に知覚することができる。
【図面の簡単な説明】
【００１６】
【図１】第１の実施の形態における床材の使用方法の概念を示す図である。
【図２】第１の実施の形態における床材の表面の構成を示す図である。
【図３】第１の実施の形態における床材の表面の構成の変形例を示す図である。
【図４】第１の実施の形態における床材の表面の機能を説明する図である。
【図５】第２の実施の形態における床材の表面の構成を示す図である。
【図６】第２の実施の形態における床材の表面の構成の変形例を示す図である。
【図７】第３の実施の形態における床材の表面の構成を示す図である。
【図８】第３の実施の形態における床材の表面の構成の変形例を示す図である。
【図９】第４の実施の形態における床材の表面の構成を示す図である。
【図１０】第５の実施の形態における床材の表面の構成を示す図である。
【図１１】第６の実施の形態における床材の表面の構成を示す斜視図である。
【発明を実施するための形態】
【００１７】
以下、本実施の形態について図面を参照しながら詳細に説明する。
【００１８】
図１は第１の実施の形態における床材の使用方法の概念を示す図、図２は第１の実施の形態における床材の表面の構成を示す図、図３は第１の実施の形態における床材の表面の構成の変形例を示す図、図４は第１の実施の形態における床材の表面の機能を説明する図である。なお、図１において、（ａ）は歩行者が本来の歩行方向に歩行している状態を示す図、（ｂ）は歩行者が反対の歩行方向に歩行している状態を示す図であり、図２及び３において、（ａ）は床材の表面の一部を示す斜視図、（ｂ）は床材の上面図である。
【００１９】
図において、１０は本実施の形態における床材であって、歩行方向によってすべり抵抗が異なるように加工された表面１１を備え、例えば、歩道、駅のプラットホーム、建築物内外の通路等の路面や床面に固定的に載置されて使用される。なお、前記床材１０の載置される箇所は、前述した歩道、駅のプラットホーム、建築物内外の通路等に限定されるものでなく、歩行者が歩行する箇所であれば、いかなる箇所であってもよい。また、前記床材１０を路面や床面に固定する手段は、例えば、接着剤、ボルト、リベット、杭等の固定部材、路面や床面を構成する舗装材への埋め込み等であるが、いかなる手段であってもよい。さらに、前記床材１０は、例えば、ゴム等の樹脂、コンクリート、木材等から成るものであるが、いかなる材料から成るものであってもよい。さらに、前記床材１０は、例えば、板状又はブロック状の部材であるが、いかなる形状の部材であってもよい。さらに、前記床材１０の表面１１は、図に示される例においては、正方形又は長方形であるが、三角形や円形であってもよいし、いかなる形状であってもよい。さらに、前記床材１０の寸法は、任意に設定することができ、また、前記床材１０は、単独で使用することもでき、複数個を連結させて使用することもできる。
【００２０】
なお、図に示される例においては、床材１０の表面１１上に本来の進行方向を示す矢印形状の進行方向マーク１２が付与されているが、該進行方向マーク１２は、矢印形状以外の図形であってもよく、いかなる形状の図形であってもよいし、文字であってもよいし、また、不要であれば、省略することもできる。
【００２１】
図に示される例においては、歩行者が左側通行をすることが想定されている。図において、左側（図１において上方に向かって進行する側）に配設された床材は１０ａとして表示され、床材１０ａの表面は１１ａとして表示され、該表面１１ａ上の進行方向マークは１２ａとして表示されている。また、図において、右側（図１において下方に向かって進行する側）に配設された床材は１０ｂとして表示され、床材１０ｂの表面は１１ｂとして表示され、該表面１１ｂ上の進行方向マークは１２ｂとして表示されている。なお、床材１０ａ及び床材１０ｂ、表面１１ａ及び表面１１ｂ、並びに、進行方向マーク１２ａ及び進行方向マーク１２ｂは、それぞれ、実質的に同一のものであるので、統合的に説明する場合には、床材１０、表面１１及び進行方向マーク１２として説明する。
【００２２】
歩行者は、視覚障害者であっても健常者であっても、路面や床面のすべり抵抗値がある程度大きいと歩きやすいと感じ、すべり抵抗値がある程度小さいと歩きにくいと感じ、歩きやすさ乃至歩きにくさの違いによって、路面や床面のすべり抵抗値の大小を知覚し得ることが知られている（例えば、非特許文献１参照。）。
【非特許文献１】鍋島益弘、山田優、「一般歩行と高齢者歩行に対する適正なすべり抵抗値について平坦部と勾配部における検証」、土木学会舗装工学論文集、第６巻、ｐｐ．２１８−２２４、２００１年１２月
【００２３】
そこで、本実施の形態における床材１０の表面１１は、本来の歩行方向、すなわち、あらかじめ想定されている方向に歩行者が歩行する場合にはすべり抵抗が大きく、本来の歩行方向の反対方向、すなわち、あらかじめ想定されている方向と逆方向に歩行者が歩行する場合にはすべり抵抗が小さくなるように、加工されている。つまり、前記表面１１には異方性抵抗発揮加工が施されている。なお、前記表面１１に施された異方性抵抗発揮加工は、あらかじめ想定されている方向と逆方向に歩行する場合であっても、歩行者、特に、視覚障害者がすべって転倒することがない程度に十分に大きなすべり抵抗値が得られるように、なされている。
【００２４】
本実施の形態においては、異方性抵抗発揮加工が施された結果、床材１０の表面１１には、図２及び３に示されるように、異方性模様としての異方性凹部２０が形成されている。なお、図に示される例において、異方性凹部は、床材１０ａの表面１１ａに形成されたものは２０ａとして表示され、また、床材１０ｂの表面１１ｂに形成されたものは２０ｂとして表示され、それぞれ識別されているが、統合的に説明する場合には、異方性凹部２０として説明する。
【００２５】
該異方性凹部２０は、図２（ｂ）及び３（ｂ）に示されるように、平面視における形状が二等辺三角形（なお、正三角形であってもよい。）であって、その底辺が本来の歩行方向手前側に位置し、その頂点が本来の歩行方向を指している。つまり、異方性凹部２０は、平面視において、あらかじめ想定されている歩行方向である所定方向の手前側から所定方向に進むにつれて幅が狭くなるような形状である。したがって、進行方向マーク１２が省略されている場合であっても、歩行者は、異方性凹部２０を視認することによって、本来の進行方向を容易に認識することができる。つまり、床材１０は、その表面１１に形成された二等辺三角形の異方性凹部２０の頂点が本来の歩行方向を指すように、路面や床面に固定的に載置されて使用される。図２（ｂ）及び３（ｂ）に示される例において、左側に配設された床材１０ａの表面１１ａに形成された異方性凹部２０ａの二等辺三角形の頂点は図における上方を向き、右側に配設された床材１０ｂの表面１１ｂに形成された異方性凹部２０ｂの二等辺三角形の頂点は図における下方を向いているので、歩行者は、異方性凹部２０を視認することによって、左側の床材１０ａ上では図における上方に向いて進行し、右側の床材１０ｂ上では図における下方に向いて進行すべきことを、視覚によって、容易に認識することができる。
【００２６】
なお、床材１０の表面１１における異方性凹部２０の配置乃至配列の仕方は、いかなるものであってもよく、例えば、ランダムな配置であってもよい。図２には、異方性凹部２０は、その各々が正方格子の格子点に位置するように、整列して配置された例が示されている。また、図３には、図２に示される例の変形例として、前列の異方性凹部２０に対して後列の異方性凹部２０が横方向にずれるような千鳥配列として配置された例が示されている。なお、異方性凹部２０の数、配置密度等の数値は、当業者であれば、適宜設定することができる。
【００２７】
そして、各異方性凹部２０は、図２（ａ）及び３（ａ）に示されるように、本来の歩行方向手前側端が最も深く、本来の歩行方向に進むにつれて浅くなるように表面１１から凹入した凹部である。つまり、異方性凹部２０はあらかじめ想定されている歩行方向である所定方向の手前側から所定方向に進むにつれて浅くなるように形成されている。具体的には、各異方性凹部２０は、表面１１から下方に凹入した二等辺三角形（なお、正三角形であってもよい。）の底面２１と、該底面２１の三辺と表面１１とを連結する側面２２とを含んでいる。前記底面２１は、二等辺三角形の底辺部分が最も下方に位置し、二等辺三角形の頂点部分が表面１１とほぼ同じ位置になるように傾斜している。そして、底面２１の二等辺三角形の底辺と表面１１とを連結する歩行方向手前側面２２ａは最も深い（高い）側面であり、底面２１の二等辺三角形の斜辺と表面１１とを連結する横側面２２ｂは、底面２１の二等辺三角形の頂点に近付くにつれて浅く（低く）なる側面である。なお、異方性凹部２０の大きさ、底面２１の表面１１からの深さ等の数値は、当業者であれば、適宜設定することができる。
【００２８】
したがって、図４に示されるように、歩行者が本来の歩行方向（図において矢印が示す方向）に歩行する場合、足の裏が、異方性凹部２０の歩行方向手前側面２２ａに引っ掛かるようになるので、表面１１のすべり抵抗が大きくなり、歩行者は歩きやすいと感じることとなる。前記歩行方向手前側面２２ａは、異方性凹部２０における最も深い（高い）側面であり、かつ、本来の歩行方向に対して直交する方向に延在する側面なので、歩行者の足の裏が引っ掛かりやすく、すべり抵抗が大きく感じられる。
【００２９】
一方、歩行者が本来の歩行方向の反対方向に歩行する場合、足の裏が異方性凹部２０の横側面２２ｂにおける二等辺三角形の頂点に近い部分に、引っ掛かるようになるので、表面１１のすべり抵抗が小さくなり、歩行者は歩きにくいと感じることとなる。前記横側面２２ｂは、底面２１の二等辺三角形の頂点に近付くにつれて浅く（低く）なる側面であり、かつ、歩行方向に対して斜めに交差する方向に延在する側面なので、歩行者の足の裏が引っ掛かりにくく、すべり抵抗が小さく感じられる。
【００３０】
図２（ｂ）及び３（ｂ）に示される例において、左側に配設された床材１０ａの表面１１ａに形成された異方性凹部２０ａの二等辺三角形の頂点は図における上方を向き、右側に配設された床材１０ｂの表面１１ｂに形成された異方性凹部２０ｂの二等辺三角形の頂点は図における下方を向いているので、歩行者は、すべり抵抗の違いに起因する歩きやすさ乃至歩きにくさの違いによって、左側の床材１０ａ上では図における上方に向いて進行し、右側の床材１０ｂ上では図における下方に向いて進行すべきことを、異方性凹部２０を視認しなくても、又は、視力が弱くて視認することができなくても、容易に認識することができる。
【００３１】
仮に、図１（ｂ）に示されるように、歩行者が、進行方向マーク１２及び異方性凹部２０の二等辺三角形の頂点の向きを視認せずに、又は、無視して、本来の歩行方向の反対方向に歩行した場合、すなわち、右側通行をした場合、歩行者は、すべり抵抗が小さくて歩きにくいと感じることとなる。その場合、歩行者は、進行方向マーク１２及び異方性凹部２０の二等辺三角形の頂点の向きに従って、左側通行をして本来の歩行方向に歩行しようとする可能性が高くなる。
【００３２】
なお、本実施の形態において、床材１０、進行方向マーク１２及び異方性凹部２０の各部の構成及び動作を説明するために使用される上、下、左、右、前、後等の方向を示す表現は、絶対的なものでなく相対的なものであり、前記床材１０、進行方向マーク１２及び異方性凹部２０の各部が図に示される姿勢である場合に適切であるが、その姿勢が変化した場合には姿勢の変化に応じて変更して解釈されるべきものである。
【００３３】
このように、本実施の形態における床材１０は、歩行方向によってすべり抵抗が異なるように異方性抵抗発揮加工された表面１１を備え、すべり抵抗は、歩行方向があらかじめ想定されている歩行方向である所定方向である場合、歩行方向が所定方向の反対方向である場合よりも大きくなっている。これにより、歩行の際にすべり抵抗が異なるので、歩行者は、本来の歩行方向とその反対の歩行方向とを容易に知覚することができる。したがって、所定方向の反対方向に歩行している歩行者が所定方向に歩行しようとする可能性が高くなる。
【００３４】
また、本実施の形態においては、歩行方向によってすべり抵抗が異なるように異方性抵抗発揮加工された表面１１を備える床材１０を、歩行方向が通行区分によって定められた所定方向である場合、歩行方向が所定方向の反対方向である場合よりも大きくなるように、通行区分に応じて路面又は床面に載置する。これにより、歩行者が、通行区分を認識せずに、又は、無視して、本来の歩行方向の反対方向に歩行した場合、歩行者は、すべり抵抗が小さくて歩きにくいと感じるので、通行区分に従って、所定方向に歩行しようとする可能性が高くなる。また、視力が比較的弱い視覚障害者であっても、歩行の際にすべり抵抗が異なるので、通行区分を認識することができる。
【００３５】
さらに、表面１１には複数の異方性模様が形成されている。このように、異方性模様を形成するだけで、歩行方向によってすべり抵抗が異なる表面１１を得ることができる。
【００３６】
さらに、異方性模様は表面１１から凹入する異方性凹部２０であって、異方性凹部２０は所定方向手前側から所定方向に進むにつれて浅くなるように形成されている。したがって、簡素な構成でありながら、歩行方向によって表面１１のすべり抵抗が異なるようにすることができる。
【００３７】
さらに、異方性凹部２０は、所定方向と直交する方向に延在する列を形成するように複数並べて配置される。なお、異方性凹部２０は、所定方向に延在する列を形成するように複数並べて配置されていてもよい。
【００３８】
さらに、異方性凹部２０は、平面視において、所定方向手前側から所定方向に進むにつれて幅が狭くなるような形状を含んでいる。したがって、所定方向を、視覚によっても容易に認識することができる。
【００３９】
次に、第２の実施の形態について説明する。なお、前記第１の実施の形態と同じ構造を有するものについては、同じ符号を付与することによってその説明を省略する。また、前記第１の実施の形態と同じ動作及び同じ効果についても、その説明を省略する。
【００４０】
図５は第２の実施の形態における床材の表面の構成を示す図、図６は第２の実施の形態における床材の表面の構成の変形例を示す図である。なお、図５において、（ａ）は床材の表面の一部を示す斜視図、（ｂ）は床材の上面図である。
【００４１】
本実施の形態において、異方性模様としての異方性凹部２０は、図５（ｂ）及び６に示されるように、平面視における形状が長方形と台形とを結合させたような六角形（なお、野球のホームベースのような五角形であってもよい。）であって、その最も長い辺である長方形の長辺に相当する辺が本来の歩行方向手前側に位置し、台形の上底に相当する最も短い辺（なお、五角形の場合には頂点である。）が本来の歩行方向を指している。つまり、異方性凹部２０は、平面視において、あらかじめ想定されている歩行方向である所定方向の手前側から所定方向に進むにつれて幅が狭くなるような形状を含んでいる。
【００４２】
したがって、進行方向マーク１２が省略されている場合であっても、歩行者は、異方性凹部２０を視認することによって、本来の進行方向を容易に認識することができる。つまり、床材１０は、その表面１１に形成された異方性凹部２０の最も幅の狭い部分が本来の歩行方向を指すように、路面や床面に固定的に載置されて使用される。図５（ｂ）及び６に示される例において、左側に配設された床材１０ａの表面１１ａに形成された異方性凹部２０ａの最も幅の狭い部分は図における上方を向き、右側に配設された床材１０ｂの表面１１ｂに形成された異方性凹部２０ｂの最も幅の狭い部分は図における下方を向いているので、歩行者は、異方性凹部２０を視認することによって、左側の床材１０ａ上では図における上方に向いて進行し、右側の床材１０ｂ上では図における下方に向いて進行すべきことを、視覚によって、容易に認識することができる。
【００４３】
なお、床材１０の表面１１における異方性凹部２０の配置乃至配列の仕方は、いかなるものであってもよく、例えば、ランダムな配置であってもよい。図５（ｂ）には、異方性凹部２０は、その各々が正方格子の格子点に位置するように、整列して配置された例が示されている。また、図６には、図５（ｂ）に示される例の変形例として、前列の異方性凹部２０に対して後列の異方性凹部２０が横方向にずれるような千鳥配列として配置された例が示されている。なお、異方性凹部２０の数、配置密度等の数値は、当業者であれば、適宜設定することができる。
【００４４】
そして、各異方性凹部２０は、図５（ａ）に示されるように、本来の歩行方向手前側端が最も深く、本来の歩行方向に進むにつれて浅くなるように表面１１から凹入した凹部である。つまり、異方性凹部２０はあらかじめ想定されている歩行方向である所定方向の手前側から所定方向に進むにつれて浅くなるように形成されている。具体的には、各異方性凹部２０は、表面１１から下方に凹入した長方形と台形とを結合させたような六角形（なお、野球のホームベースのような五角形であってもよい。）の底面２１と、該底面２１の周囲の辺と表面１１とを連結する側面２２とを含んでいる。前記底面２１は、最も長い辺の部分が最も下方に位置し、最も短い辺の部分が表面１１とほぼ同じ位置になるように傾斜している。そして、底面２１の最も長い辺と表面１１とを連結する歩行方向手前側面２２ａは最も深い（高い）側面であり、底面２１の最も長い辺と最も短い辺とを結ぶ左右両側の辺と表面１１とを連結する横側面２２ｂは、底面２１の最も短い辺に近付くにつれて浅く（低く）なる側面である。なお、異方性凹部２０の大きさ、底面２１の表面１１からの深さ等の数値は、当業者であれば、適宜設定することができる。
【００４５】
したがって、歩行者が本来の歩行方向（図において矢印が示す方向）に歩行する場合、足の裏が、異方性凹部２０の歩行方向手前側面２２ａに引っ掛かるようになるので、表面１１のすべり抵抗が大きくなり、歩行者は歩きやすいと感じることとなる。前記歩行方向手前側面２２ａは、異方性凹部２０における最も深い（高い）側面であり、かつ、本来の歩行方向に対して直交する方向に延在する側面なので、歩行者の足の裏が引っ掛かりやすく、すべり抵抗が大きく感じられる。
【００４６】
一方、歩行者が本来の歩行方向の反対方向に歩行する場合、足の裏が異方性凹部２０の側面２２に、引っ掛からないようになるので、表面１１のすべり抵抗が小さくなり、歩行者は歩きにくいと感じることとなる。
【００４７】
なお、その他の点の構成については、前記第１の実施の形態と同様であるので、その説明を省略する。また、その他の点の作用及び効果についても、前記第１の実施の形態と同様であるので、その説明を省略する。
【００４８】
次に、第３の実施の形態について説明する。なお、前記第１及び第２の実施の形態と同じ構造を有するものについては、同じ符号を付与することによってその説明を省略する。また、前記第１及び第２の実施の形態と同じ動作及び同じ効果についても、その説明を省略する。
【００４９】
図７は第３の実施の形態における床材の表面の構成を示す図、図８は第３の実施の形態における床材の表面の構成の変形例を示す図である。なお、図７において、（ａ）は床材の表面の一部を示す斜視図、（ｂ）は床材の上面図である。
【００５０】
本実施の形態において、異方性模様としての異方性凹部２０は、図７（ｂ）及び８に示されるように、平面視における形状が長方形と半円形とを結合させたようなうろこ形であって、その最も長い辺である長方形の長辺に相当する辺が本来の歩行方向手前側に位置し、半円形の円弧の中心に相当する部分が本来の歩行方向を指している。つまり、異方性凹部２０は、平面視において、あらかじめ想定されている歩行方向である所定方向の手前側から所定方向に進むにつれて幅が狭くなるような形状を含んでいる。
【００５１】
したがって、進行方向マーク１２が省略されている場合であっても、歩行者は、異方性凹部２０を視認することによって、本来の進行方向を容易に認識することができる。つまり、床材１０は、その表面１１に形成された異方性凹部２０の最も幅の狭い部分が本来の歩行方向を指すように、路面や床面に固定的に載置されて使用される。図７（ｂ）及び８に示される例において、左側に配設された床材１０ａの表面１１ａに形成された異方性凹部２０ａの最も幅の狭い部分は図における上方を向き、右側に配設された床材１０ｂの表面１１ｂに形成された異方性凹部２０ｂの最も幅の狭い部分は図における下方を向いているので、歩行者は、異方性凹部２０を視認することによって、左側の床材１０ａ上では図における上方に向いて進行し、右側の床材１０ｂ上では図における下方に向いて進行すべきことを、視覚によって、容易に認識することができる。
【００５２】
なお、床材１０の表面１１における異方性凹部２０の配置乃至配列の仕方は、いかなるものであってもよく、例えば、ランダムな配置であってもよい。図７（ｂ）には、異方性凹部２０は、その各々が正方格子の格子点に位置するように、整列して配置された例が示されている。また、図８には、図７（ｂ）に示される例の変形例として、前列の異方性凹部２０に対して後列の異方性凹部２０が横方向にずれるような千鳥配列として配置された例が示されている。なお、異方性凹部２０の数、配置密度等の数値は、当業者であれば、適宜設定することができる。
【００５３】
そして、各異方性凹部２０は、図７（ａ）に示されるように、本来の歩行方向手前側端が最も深く、本来の歩行方向に進むにつれて浅くなるように表面１１から凹入した凹部である。つまり、異方性凹部２０はあらかじめ想定されている歩行方向である所定方向の手前側から所定方向に進むにつれて浅くなるように形成されている。具体的には、各異方性凹部２０は、表面１１から下方に凹入した長方形と半円形とを結合させたようなうろこ形の底面２１と、該底面２１の周囲の辺と表面１１とを連結する側面２２とを含んでいる。前記底面２１は、最も長い辺の部分が最も下方に位置し、半円形の円弧の中心に相当する部分が表面１１とほぼ同じ位置になるように傾斜している。そして、底面２１の最も長い辺と表面１１とを連結する歩行方向手前側面２２ａは最も深い（高い）側面であり、底面２１の最も長い辺と半円形の円弧の中心とを連結する横側面２２ｂは、半円形の円弧の中心に近付くにつれて浅く（低く）なる側面である。なお、異方性凹部２０の大きさ、底面２１の表面１１からの深さ等の数値は、当業者であれば、適宜設定することができる。
【００５４】
したがって、歩行者が本来の歩行方向（図において矢印が示す方向）に歩行する場合、足の裏が、異方性凹部２０の歩行方向手前側面２２ａに引っ掛かるようになるので、表面１１のすべり抵抗が大きくなり、歩行者は歩きやすいと感じることとなる。前記歩行方向手前側面２２ａは、異方性凹部２０における最も深い（高い）側面であり、かつ、本来の歩行方向に対して直交する方向に延在する側面なので、歩行者の足の裏が引っ掛かりやすく、すべり抵抗が大きく感じられる。
【００５５】
一方、歩行者が本来の歩行方向の反対方向に歩行する場合、足の裏が異方性凹部２０の側面２２に、引っ掛からないようになるので、表面１１のすべり抵抗が小さくなり、歩行者は歩きにくいと感じることとなる。
【００５６】
なお、その他の点の構成については、前記第１及び第２の実施の形態と同様であるので、その説明を省略する。また、その他の点の作用及び効果についても、前記第１及び第２の実施の形態と同様であるので、その説明を省略する。
【００５７】
次に、第４の実施の形態について説明する。なお、前記第１〜第３の実施の形態と同じ構造を有するものについては、同じ符号を付与することによってその説明を省略する。また、前記第１〜第３の実施の形態と同じ動作及び同じ効果についても、その説明を省略する。
【００５８】
図９は第４の実施の形態における床材の表面の構成を示す図である。なお、図において、（ａ）は床材の表面の一部を示す斜視図、（ｂ）は床材の上面図である。
【００５９】
本実施の形態において、異方性模様としての異方性凹部２０は、図９（ｂ）に示されるように、平面視における形状が本来の歩行方向である所定方向と直交する方向に延在する細長い長方形である。
【００６０】
なお、床材１０の表面１１における異方性凹部２０の配置乃至配列の仕方は、いかなるものであってもよく、例えば、ランダムな配置であってもよいが、図９（ｂ）には、異方性凹部２０が、所定方向に延在する列を形成するように複数並べて配置された例が示されている。なお、異方性凹部２０の数、配置密度等の数値は、当業者であれば、適宜設定することができる。
【００６１】
そして、各異方性凹部２０は、図９（ａ）に示されるように、本来の歩行方向手前側端が最も深く、本来の歩行方向に進むにつれて浅くなるように表面１１から凹入した凹部である。つまり、異方性凹部２０はあらかじめ想定されている歩行方向である所定方向の手前側から所定方向に進むにつれて浅くなるように形成されている。具体的には、各異方性凹部２０は、表面１１から下方に凹入した長方形であって長辺が所定方向と直交する方向に延在する長方形の底面２１と、該底面２１の周囲の辺と表面１１とを連結する側面２２とを含んでいる。前記底面２１は、一方の長辺が最も下方に位置し、他方の長辺が表面１１とほぼ同じ位置になるように傾斜している。そして、底面２１の一方の長辺と表面１１とを連結する歩行方向手前側面２２ａは最も深い（高い）側面であり、底面２１の一方の長辺と他方の長辺とを結ぶ左右の短辺と表面１１とを連結する横側面２２ｂは、底面２１の他方の長辺に近付くにつれて浅く（低く）なる側面である。なお、異方性凹部２０の大きさ、底面２１の表面１１からの深さ等の数値は、当業者であれば、適宜設定することができる。
【００６２】
したがって、歩行者が本来の歩行方向（図において矢印が示す方向）に歩行する場合、足の裏が、異方性凹部２０の歩行方向手前側面２２ａに引っ掛かるようになるので、表面１１のすべり抵抗が大きくなり、歩行者は歩きやすいと感じることとなる。前記歩行方向手前側面２２ａは、異方性凹部２０における最も深い（高い）側面であり、かつ、本来の歩行方向に対して直交する方向に延在する側面なので、歩行者の足の裏が引っ掛かりやすく、すべり抵抗が大きく感じられる。
【００６３】
一方、歩行者が本来の歩行方向の反対方向に歩行する場合、足の裏が異方性凹部２０の側面２２に、引っ掛からないようになるので、表面１１のすべり抵抗が小さくなり、歩行者は歩きにくいと感じることとなる。
【００６４】
なお、その他の点の構成については、前記第１〜第３の実施の形態と同様であるので、その説明を省略する。また、その他の点の作用及び効果についても、前記第１〜第３の実施の形態と同様であるので、その説明を省略する。
【００６５】
次に、第５の実施の形態について説明する。なお、前記第１〜第４の実施の形態と同じ構造を有するものについては、同じ符号を付与することによってその説明を省略する。また、前記第１〜第４の実施の形態と同じ動作及び同じ効果についても、その説明を省略する。
【００６６】
図１０は第５の実施の形態における床材の表面の構成を示す図である。なお、図において、（ａ）は床材の表面の一部を示す斜視図、（ｂ）は床材の上面図である。
【００６７】
本実施の形態において、異方性抵抗発揮加工によって形成された異方性模様は、床材１０の表面１１から凸出するように形成された異方性凸部３０である。なお、図に示される例において、異方性凸部は、床材１０ａの表面１１ａに形成されたものは３０ａとして表示され、また、床材１０ｂの表面１１ｂに形成されたものは３０ｂとして表示され、それぞれ識別されているが、統合的に説明する場合には、異方性凸部３０として説明する。
【００６８】
なお、床材１０の表面１１における異方性凸部３０の配置乃至配列の仕方は、いかなるものであってもよく、例えば、ランダムな配置であってもよいが、図１０（ｂ）には、異方性凸部３０が、所定方向に延在する列を形成するように複数並べて配置された例が示されている。なお、異方性凸部３０の数、配置密度等の数値は、当業者であれば、適宜設定することができる。
【００６９】
そして、各異方性凸部３０は、図１０（ａ）に示されるように、本来の歩行方向先端が最も高く、本来の歩行方向手前側に戻るにつれて低くなるように表面１１から凸出した凸部である。つまり、異方性凸部３０はあらかじめ想定されている歩行方向である所定方向の手前側から所定方向に進むにつれて高くなるように形成されている。具体的には、各異方性凸部３０は、表面１１から上方に凸出した長方形であって長辺が所定方向と直交する方向に延在する長方形の天面３１と、該天面３１の周囲の辺と表面１１とを連結する側面３２とを含んでいる。前記天面３１は、一方の長辺が最も上方に位置し、他方の長辺が表面１１とほぼ同じ位置になるように傾斜している。そして、天面３１の一方の長辺と表面１１とを連結する歩行方向先端側面３２ａは最も高い側面であり、天面３１の一方の長辺と他方の長辺とを結ぶ左右の短辺と表面１１とを連結する横側面３２ｂは、天面３１の他方の長辺に近付くにつれて低くなる側面である。なお、異方性凸部３０の大きさ、天面３１の表面１１からの深さ等の数値は、当業者であれば、適宜設定することができる。
【００７０】
したがって、歩行者が本来の歩行方向（図において矢印が示す方向）に歩行する場合、足の裏が、異方性凸部３０の歩行方向先端側面３２ａに引っ掛かるようになるので、表面１１のすべり抵抗が大きくなり、歩行者は歩きやすいと感じることとなる。前記歩行方向先端側面３２ａは、異方性凸部３０における最も高い側面であり、かつ、本来の歩行方向に対して直交する方向に延在する側面なので、歩行者の足の裏が引っ掛かりやすく、すべり抵抗が大きく感じられる。
【００７１】
一方、歩行者が本来の歩行方向の反対方向に歩行する場合、足の裏が異方性凸部３０の側面３２に、引っ掛からないようになるので、表面１１のすべり抵抗が小さくなり、歩行者は歩きにくいと感じることとなる。
【００７２】
このように、本実施の形態において、異方性模様は表面１１から凸出する異方性凸部３０であって、異方性凸部３０はあらかじめ想定されている歩行方向である所定方向の手前側から所定方向に進むにつれて高くなるように形成されている。したがって、簡素な構成でありながら、歩行方向によって表面１１のすべり抵抗が異なるようにすることができる。
【００７３】
その他の点の構成については、前記第１〜第４の実施の形態と同様であるので、その説明を省略する。また、その他の点の作用及び効果についても、前記第１〜第４の実施の形態と同様であるので、その説明を省略する。
【００７４】
次に、第６の実施の形態について説明する。なお、前記第１〜第５の実施の形態と同じ構造を有するものについては、同じ符号を付与することによってその説明を省略する。また、前記第１〜第５の実施の形態と同じ動作及び同じ効果についても、その説明を省略する。
【００７５】
図１１は第６の実施の形態における床材の表面の構成を示す斜視図である。
【００７６】
本実施の形態において、異方性抵抗発揮加工によって形成された異方性模様は、床材１０の表面１１から凸出するように形成された異方性凸部３０であって、根元が表面１１に固定された柔軟性を有する複数本の繊維状部材である。なお、図に示される例において、異方性凸部は、床材１０ａの表面１１ａに形成されたものは３０ａとして表示され、また、床材１０ｂの表面１１ｂに形成されたものは３０ｂとして表示され、それぞれ識別されているが、統合的に説明する場合には、異方性凸部３０として説明する。
【００７７】
なお、床材１０の表面１１における異方性凸部３０の配置乃至配列の仕方は、いかなるものであってもよく、例えば、ランダムな配置であってもよいが、図１１には、繊維状の異方性凸部３０が、２本１組となって、正方格子の格子点に位置するように、整列して配置された例が示されている。なお、異方性凸部３０の数、配置密度等の数値は、当業者であれば、適宜設定することができる。
【００７８】
前記異方性凸部３０は、例えば、カーペット、人工芝等における毛、撚糸、芝等と同様に、細長い繊維状の部材であり、例えば、合成樹脂等の樹脂から成るものであるが、ある程度の柔軟性を有し、ある程度の長さを備える繊維状の部材であれば、いかなる形状のものであっても、いかなる材料から成るものであってもよい。
【００７９】
そして、各異方性凸部３０の根元は、例えば、接着、溶着、植込み等の手段によって、床材１０の表面１１に固定されている。また、各異方性凸部３０は、図１１に示されるように、その先端、すなわち、自由端が本来の歩行方向に向かうように、配向されている。つまり、異方性凸部３０は、あらかじめ想定されている歩行方向である所定方向の手前側から所定方向に向かって根元から延出するように方向付けされている。なお、各異方性凸部３０の長さ、表面１１に対する傾斜角度等の数値は、当業者であれば、適宜設定することができる。
【００８０】
したがって、歩行者が本来の歩行方向（図において矢印が示す方向）に歩行する場合、足の裏が、異方性凸部３０の歩行方向に向いた自由端に引っ掛かるようになるので、表面１１のすべり抵抗が大きくなり、歩行者は歩きやすいと感じることとなる。また、異方性凸部３０自体が柔軟性を有するので、足の裏の感触がソフトになり、歩行者は歩きやすいと感じることとなる。
【００８１】
一方、歩行者が本来の歩行方向の反対方向に歩行する場合、足の裏が異方性凸部３０の自由端に、引っ掛からないようになるので、表面１１のすべり抵抗が小さくなり、歩行者は歩きにくいと感じることとなる。
【００８２】
このように、本実施の形態において、異方性模様は表面１１から凸出する異方性凸部３０であって、異方性凸部３０は、根元が表面１１に固定された柔軟性を有する繊維状部材であり、自由端があらかじめ想定されている歩行方向である所定方向に向かうように配向されている。したがって、簡素な構成でありながら、歩行方向によって表面１１のすべり抵抗が異なるようにすることができる。
【００８３】
その他の点の構成については、前記第１〜第５の実施の形態と同様であるので、その説明を省略する。また、その他の点の作用及び効果についても、前記第１〜第５の実施の形態と同様であるので、その説明を省略する。
【００８４】
なお、本明細書の開示は、好適で例示的な実施の形態に関する特徴を述べたものである。ここに添付された特許請求の範囲内及びその趣旨内における種々の他の実施の形態、修正及び変形は、当業者であれば、本明細書の開示を総覧することにより、当然に考え付くことである。
【産業上の利用可能性】
【００８５】
本開示は、床材及びその使用方法に適用することができる。
【符号の説明】
【００８６】
１０、１０ａ、１０ｂ    床材
１１、１１ａ、１１ｂ    表面
２０、２０ａ、２０ｂ    異方性凹部
３０、３０ａ、３０ｂ    異方性凸部
【図１】
2018109331.tif 000003
【図２】
2018109331.tif 000004
【図３】
2018109331.tif 000005
【図４】
2018109331.tif 000006
【図５】
2018109331.tif 000007
【図６】
2018109331.tif 000008
【図７】
2018109331.tif 000009
【図８】
2018109331.tif 000010
【図９】
2018109331.tif 000011
【図１０】
2018109331.tif 000012
【図１１】
2018109331.tif 000013